(57)【要約】【課題】  隅部を壁に沿って清掃する際でも窮屈な操作をしなくてもよく、しかも、全体として操作しやすく、更に、壁との間にダストが溜まって掃き出せなくなるのを防止できる、ハンディモップを提供すること。【解決手段】  多数の細いパイル２１をキャンバス２２の少なくとも裏面に備えた払拭部２と、キャンバス２２表面に取り付けられてキャンバス２２を保持する保持部３と、一端４１が保持部３に連結されて延びたハンドル４と、を備えたハンディモップ１において、キャンバス２２の平面形状が菱形であり、ハンドルの延長線上には菱形の頂部が位置していることを特徴としている。【選択図】図１
2005152334.tif 000002
【特許請求の範囲】
【請求項１】
多数の細い払拭体をキャンバスの少なくとも裏面に備えた払拭部と、キャンバス表面に取り付けられてキャンバスを保持する保持部と、一端が保持部に連結されて延びたハンドルと、を備えたハンディモップにおいて、
キャンバスの平面形状が菱形であり、ハンドルの延長線上には菱形の頂部が位置していることを特徴とするハンディモップ。
【請求項２】
ハンドルの上記一端が保持部の中央に連結されており、保持部が、ハンドルの上記一端に対して、垂直軸回りに９０度ずつ回転自在となっている、請求項１記載のハンディモップ。
【請求項３】
ハンドルの上記一端が保持部の中央に連結されており、ハンドルが上記一端にて水平軸回りに回動自在となっている、請求項１記載のハンディモップ。
【請求項４】
ハンドルと保持部とが一体となっており、保持部は、キャンバス表面に形成された袋体に挿入されることによって、キャンバス表面に取り付けられるようになっており、保持部の挿入は長手方向両側から行うことができるようになっている、請求項１記載のハンディモップ。
【請求項５】
保持部の回転が、ハンドルに設けられたレバーの操作で行われるようになっている、請求項２記載のハンディモップ。
【請求項６】
ハンドルの上記一端と保持部の中央との連結部において、上記一端に一体成形又は固着された筒体が、保持部の中央に一体成形又は固着された筒体に、内嵌している、請求項２記載のハンディモップ。
【請求項７】
保持部の平面形状も菱形であり、保持部の長手方向両側部分がキャンバス表面の長手方向両側に形成された袋体にそれぞれ挿入されることによって、保持部がキャンバス表面に取り付けられている、請求項１記載のハンディモップ。
【請求項８】
保持部の長手方向両側部分の先端が、上向きに反っている、請求項７記載のハンディモップ。
【請求項９】
払拭体の長さが、キャンバスの、長手方向の両側端部と長手方向の中央部とで、異なっており、両側端部の方が短い、請求項１又は８に記載のハンディモップ。
【請求項１０】
払拭体の長さが、キャンバスの外側部と内側部とで異なっており、外側部の方が短い、請求項１記載のハンディモップ。
【請求項１１】
払拭体の太さが、キャンバスの、長手方向の両側端部と長手方向の中央部とで、異なっており、両側端部の方が太い、請求項１又は８に記載のハンディモップ。
【請求項１２】
払拭体の腰の強さが、キャンバスの、長手方向の両側端部と長手方向の中央部とで、異なっており、両側端部の方が強い、請求項１又は８に記載のハンディモップ。
【請求項１３】
払拭体を、キャンバスの表面にも備えている、請求項１記載のハンディモップ。
【請求項１４】
払拭体がパイルである、請求項１記載のハンディモップ。
【請求項１５】
払拭体が、織布又は不織布からなる布片でできている、請求項１記載のハンディモップ。
【発明の詳細な説明】
【技術分野】
【０００１】
本発明は、床、家具などの清掃対象物を払拭するための清掃用具として用いられるハンディタイプのモップに関するものである。
【背景技術】
【０００２】
ハンディタイプのモップ即ちハンディモップは、通常、払拭部と保持部とハンドルとからなっている。払拭部は、多数の細い払拭体（例えばパイル）をキャンバスの少なくとも裏面に備えて構成されている。保持部は、キャンバス表面に取り付けられてキャンバスを保持している。ハンドルは、一端が保持部に連結されて延びている。このようなハンディモップは、ハンドルを把持し、払拭部の払拭体を清掃対象物の表面に当て、払拭部を前後左右に動かすことによって、清掃を行うものである。
【０００３】
ところで、従来一般のハンディモップは、図１４に示すように、キャンバス１０の長手方向の両側端部１０１が幅広の丸形状を有しており、ハンドル１１は長手方向に延びている。なお、図１４では、キャンバス１０及びハンドル１１を図示しており、払拭体及び保持部の図示は省略している。
【特許文献１】特開平６−１４２０２６号公報
【発明の開示】
【発明が解決しようとする課題】
【０００４】
図１４のハンディモップでは、隅部２０１を壁２０２に沿って清掃する際に、ハンドル１１を把持した手２０３が壁２０２に当たることがあり、窮屈な操作を余儀なくされるという問題があった。しかも、図１４に示すように、端部１０１と壁２０２との間の隅に、ダスト３０１が溜まり掃き出せないという問題があった。
【０００５】
本発明は、隅部を壁に沿って清掃する際でも窮屈な操作をしなくてもよく、しかも、全体として操作しやすく、更に、壁との間にダストが溜まって掃き出せなくなるのを防止できる、ハンディモップを提供することを目的とする。
【課題を解決するための手段】
【０００６】
請求項１記載の発明は、多数の細い払拭体をキャンバスの少なくとも裏面に備えた払拭部と、キャンバス表面に取り付けられてキャンバスを保持する保持部と、一端が保持部に連結されて延びたハンドルと、を備えたハンディモップにおいて、キャンバスの平面形状が菱形であり、ハンドルの延長線上には菱形の頂部が位置していることを特徴としている。
【０００７】
請求項２記載の発明は、請求項１記載の発明において、ハンドルの上記一端が保持部の中央に連結されており、保持部が、ハンドルの上記一端に対して、垂直軸回りに９０度ずつ回転自在となっているものである。
【０００８】
請求項３記載の発明は、請求項１記載の発明において、ハンドルの上記一端が保持部の中央に連結されており、ハンドルが上記一端にて水平軸回りに回動自在となっているものである。
【０００９】
請求項４記載の発明は、請求項１記載の発明において、ハンドルと保持部とが一体となっており、保持部は、キャンバス表面に形成された袋体に挿入されることによって、キャンバス表面に取り付けられるようになっており、保持部の挿入は長手方向両側から行うことができるようになっているものである。
【００１０】
請求項５記載の発明は、請求項２記載の発明において、保持部の回転が、ハンドルに設けられたレバーの操作で行われるようになっているものである。
【００１１】
請求項６記載の発明は、請求項２記載の発明において、ハンドルの上記一端と保持部の中央との連結部において、上記一端に一体成形又は固着された筒体が、保持部の中央に一体成形又は固着された筒体に、内嵌しているものである。
【００１２】
請求項７記載の発明は、請求項１記載の発明において、保持部の平面形状も菱形であり、保持部の長手方向両側部分がキャンバス表面の長手方向両側に形成された袋体にそれぞれ挿入されることによって、保持部がキャンバス表面に取り付けられているものである。
【００１３】
請求項８記載の発明は、請求項７記載の発明において、保持部の長手方向両側部分の先端が、上向きに反っているものである。
【００１４】
請求項９記載の発明は、請求項１又は８に記載の発明において、払拭体の長さが、キャンバスの、長手方向の両側端部と長手方向の中央部とで、異なっており、両側端部の方が短いものである。
【００１５】
請求項１０記載の発明は、請求項１記載の発明において、払拭体の長さが、キャンバスの外側部と内側部とで異なっており、外側部の方が短いものである。
【００１６】
請求項１１記載の発明は、請求項１又は８に記載の発明において、払拭体の太さが、キャンバスの、長手方向の両側端部と長手方向の中央部とで、異なっており、両側端部の方が細いものである。
【００１７】
請求項１２記載の発明は、請求項１又は８に記載の発明において、払拭体の腰の強さが、キャンバスの、長手方向の両側端部と長手方向の中央部とで、異なっており、両側端部の方が強いものである。
【００１８】
請求項１３記載の発明は、請求項１記載の発明において、払拭体を、キャンバスの表面にも備えているものである。
【００１９】
請求項１４記載の発明は、請求項１記載の発明において、払拭体がパイルであるものである。
【００２０】
請求項１５記載の発明は、請求項１記載の発明において、払拭体が、織布又は不織布からなる布片でできているものである。
【発明の効果】
【００２１】
請求項１記載の発明によれば、キャンバスの平面形状が菱形であるので、隅部を壁に沿って清掃する場合において、キャンバスの菱形の一辺を隅部に当接させることにより、ハンドルを壁から遠ざかる方向に位置させることができる。従って、操作が窮屈となるのを防止できる。
【００２２】
また、キャンバスの長手方向両側部分が先細りの形状を有しているので、菱形の頂部と壁との間にダストを溜めることなくダストを掃き出させることができる。
【００２３】
請求項２記載の発明によれば、保持部を、ひいてはキャンバスを、９０度ずつ回転させることができるので、一辺の払拭体がダストを担持して汚れると、キャンバスを９０度回転させて、隣りの一辺を使用することができる。従って、汚れていない部分を適宜使用することにより、良好な清掃を行うことができる。
【００２４】
また、ハンドルが長手方向に延びている状態で前後方向（長手方向）に操作すれば、隅部のような狭い領域を容易に清掃でき、ハンドルが幅方向に延びている状態で前後方向（幅方向）に操作すれば、広い領域を容易に清掃できる。従って、キャンバスを適宜回転させることにより、広狭様々な領域を有する清掃対象物を、効率良く清掃することができる。
【００２５】
更に、ハンドルの一端に対してキャンバスが均等であるので、キャンバスを小さなトルクで円滑に回転させることができる。
【００２６】
請求項３記載の発明によれば、払拭部の長手方向両側部分の一方の部分が汚れた場合には、ハンドルを回動させて他方の部分を使用することができるので、汚れていない部分を適宜使用することにより、良好な清掃を行うことができる。
【００２７】
請求項４記載の発明によれば、ハンドルを極めて簡単にキャンバスに取り付けることができ、また、請求項３記載の発明と同様の効果を発揮できる
【００２８】
請求項５記載の発明によれば、保持部の回転を容易に行うことができ、従って、清掃効率を向上できる。
【００２９】
請求項６記載の発明によれば、ハンドルが保持部に対して捻られたような場合でも、連結部を強度的に保持できる。
【００３０】
請求項７記載の発明によれば、保持部を容易に且つ確実にキャンバスに取り付けることができる。また、保持部の長手方向両側部分の先端がキャンバスの袋体内に位置しているので、当該先端が清掃対象物に直接に当たることは無く、従って、清掃対象物が傷付くのを防止できる。
【００３１】
請求項８記載の発明によれば、キャンバスの長手方向両側の頂部付近に設けられている払拭体を外側に向けることができる。従って、当該頂部が清掃対象物に向いた場合でも、払拭体が清掃対象物に当たることとなり、当該頂部は当たらないので、清掃対象物が傷付くのを防止できる。
【００３２】
また、挿入された保持部の長手方向両側部分よりも袋体が少し大きめであっても、先端が袋体の裏面に引っ掛かるようになるため、両側部分が袋体内で自由に動くのを防止でき、従って、ハンドルの操作とキャンバスの動きとの間にずれが生じるのを防止できる。
【００３３】
請求項９記載の発明によれば、キャンバスを前進させながら辺を擦るように使用した場合に、長手方向両側端部の短い払拭体が通過した後に長い払拭体が通過することとなるため、両者がばらけた状態となる。従って、払拭体が良好にばらつくこととなり、払拭体を有効に使うことができる。また、長手方向両側端部の払拭体が短いので、請求項８記載の構成によって、払拭体をより外側に向けることができ、請求項８記載の効果をより良好に発揮でき、しかも、隅部を清掃する場合に、払拭体が隅部に届きやすい。
【００３４】
請求項１０記載の発明によれば、ダストを掃き寄せるように使用した場合に、払拭体が良好にばらつくこととなり、払拭体を有効に使うことができる。
【００３５】
請求項１１記載の発明によれば、キャンバスを前進させながら辺を擦るように使用した場合に、長手方向両側端部の太い払拭体が通過した後に細い払拭体が通過することとなるため、両者がばらけた状態となる。従って、払拭体が良好にばらつくこととなり、払拭体を有効に使うことができる。また、長手方向両側端部の払拭体が太いので、請求項８記載の構成によって、払拭体を外側にしっかりと向けることができ、請求項８記載の効果をより良好に発揮でき、しかも、隅部を清掃する場合に、払拭体が隅部に届きやすい。
【００３６】
請求項１２記載の発明によれば、キャンバスを前進させながら辺を擦るように使用した場合に、長手方向両側端部の腰の強い払拭体が通過した後に腰の弱い払拭体が通過することとなるため、両者がばらけた状態となる。従って、払拭体が良好にばらつくこととなり、払拭体を有効に使うことができる。また、長手方向両側端部の払拭体の腰が強いので、請求項８記載の構成によって、払拭体を外側にしっかりと向けることができ、請求項８記載の効果をより良好に発揮でき、しかも、隅部を清掃する場合に、払拭体が隅部に届きやすい。
【００３７】
請求項１３記載の発明によれば、上下に狭い隙間を清掃する場合に、上下両面を一度に清掃できる。
【００３８】
請求項１４記載の発明によれば、清掃効率を向上できる。
【００３９】
請求項１５記載の発明によれば、パイルを用いた場合に比して、生産コストを低減できる。
【発明を実施するための最良の形態】
【００４０】
（実施形態１）
図１は本発明のハンディモップの平面図、図２は図１のII矢視図である。このハンディモップ１は、多数の細い払拭体であるパイル２１とキャンバス２２とからなる払拭部２と、キャンバス２２を保持する保持部３と、一端４１が保持部３に連結されて延びたハンドル４と、からなっている。
【００４１】
パイル２１はキャンバス２２の裏面に設けられている。ここでは、全てのパイル２１の長さ、太さ、及び腰の強さは、同じである。図では、大部分のパイル２１の図示を省略している。
【００４２】
キャンバス２２は、パイル２１が縫い付けられる厚手の布体であり、平面形状が菱形のものである。即ち、キャンバス２２は、長手方向両側部分が先細りの形状を有しており、長手方向両側に頂部２２１，２２２を、幅方向両側に頂部２２３，２２４を、有している。また、キャンバス２２の表面の長手方向両端部分には、後述する保持部３の取付用の、袋体２２５，２２６が形成されている。
【００４３】
保持部３は、平板状のものであり、平面形状がキャンバス２２と同じ菱形のものである。また、保持部３は、長手方向の略中央で山折できるようになっており、山折状態にして、長手方向の両側部分３１，３２を、キャンバス２２の表面の袋体２２５，２２６にそれぞれ挿し込むことにより、キャンバス２２に取り付けられ、キャンバス２２を保持している。従って、保持部３は、容易に且つ確実にキャンバス２２に取り付けられる。両側部分３１，３２の先端３１１，３２１は、上向きに反っている。
【００４４】
保持部３を山折できる機構は、具体的には、図３に示すようになっている。図３は保持部３の部分断面側面図である。保持部３において、部分３１と部分３２とは、図１の実線Ｅに示すように、分割されており、ハンドル４は部分３２に連結している。部分３２には、部分３１側に向けてスプリング３３１で付勢された凸部３３２が設けられている。凸部３３２は、付勢された状態で、部分３１の凹部３３３に係合するようになっている。凸部３３２は、波状に形成された上面部分３３４に指を当てて、スプリング３３１の付勢力に抗して部分３２側（矢印Ｃ方向）に移動させると、凹部３３３との係合が解除されるようになっている。凸部３３２と凹部３３３との係合が解除されると、部分３１は、部分３２に対して自由となり、軸３３５回りを回動可能となる。よって、部分３１をＺの位置まで回動させれば、保持部３は山折状態となる。
【００４５】
ハンドル４は、棒状のものであり、ハンディモップ１を操作するために把持するものである。ハンドル４の一端４１は保持部３の中央に連結されている。キャンバス２２の菱形の頂部２２１，２２２，２２３，２２４のいずれかが、ハンドル４の延長線上に位置している。保持部３は、図４に示すように、後述する回転連結機構により、ハンドル４の一端４１に対して、垂直軸回りに９０度ずつ回転自在となっている。即ち、図４の（ａ）→（ｂ）→（ｃ）→（ｄ）→（ａ）…というように、キャンバス２２は、ハンドル４に対して、９０度ずつ回転するようになっている。
【００４６】
上記回転連結機構は、次のようになっている。図５は上記回転連結機構を分解して示す上方斜視図、図６は同じく下方斜視図である。この機構５は、レバー５１と、上部の筒体５２と、下部の筒体５３と、スプリング５４と、軸体５５と、からなっている。なお、筒体５２はハンドル４の一端４１と一体のものである。図７に示すように、機構５は、レバー５１の先端部５１１，５１２を筒体５２内に位置させた状態で、筒体５２の下部５２１を筒体５３に内嵌させ、スプリング５４を外装した軸体５５を、両筒体５２，５３内に下方から挿入し、軸体５５を筒体５２にねじ（図示せず）で止めて固定することにより、構成される。なお、図７では、筒体５２の図示を省略している。
【００４７】
レバー５１は、二股の先端部５１１，５１２が筒体５２内に位置し、他端部がハンドル４の裏側に位置するよう延びている。
【００４８】
筒体５２は、上部が閉じている。筒体５２の壁５２２は、レバー５１を通すための切欠き５２３を有している。筒体５２は、内部に、軸体５５を固定するためのねじ穴５２４を有している。筒体５２の壁５２２の内面には、対向する２箇所に、縦に延びたリブ５２５が形成されている。
【００４９】
筒体５３は、保持部３の中央にて保持部３と一体となっている。筒体５３は、壁５３１と同心であって内側の第１内壁５３２及び外側の第２内壁５３３を有している。第１内壁５３２は、第２内壁５３３より高く形成されている。第１内壁５３２の上端縁には、４個の頂部５３２１とそれに続く４個の傾斜面５３２２が形成されている。４個の頂部５３２１は、円周方向９０度間隔で形成されている。４個の傾斜面５３２２は、保持部３の回転方向とは反対方向（矢印Ａ方向）に向けて低くなるよう傾斜している。第２内壁５３３は、円周方向９０度間隔で形成された４個の縦溝５３３１により４個の小壁５３３２に分割されている。４個の小壁５３３２の上端縁は、高部５３３３とそれに続く傾斜面５３３４とを有している。４個の傾斜面５３３４も、保持部３の回転方向とは反対方向（矢印Ａ方向）に向けて低くなるよう傾斜している。
【００５０】
軸体５５は、筒体５２に固定された状態で、筒体５３をスプリング５４によって上方に付勢している。筒体５３は、軸体５５に対して上下に摺動自在となっている。
【００５１】
機構５は、ハンドル４の裏側にあるレバー５１を引き上げることによって作動するが、作動前の状態は次のようになっている。
（１）筒体５３がスプリング５４に付勢されて上方に位置している。
（２）レバー５１の先端部５１１，５１２が、筒体５３の第１内壁５３２の４個の頂部５３２１の内の対向する２個の頂部の傾斜面５３２２側に当接している。
（３）筒体５２の２個のリブ５２５が、筒体５３の第２内壁５３３の４個の縦溝５３３１の内の対向する２個に嵌っている。
【００５２】
そして、ハンドル４を把持した手でレバー５１を引き上げると、レバー５１が梃子の原理で作動して、レバー５１の先端部５１１，５１２が、スプリング５４の付勢力に抗しながら、筒体５３をそのまま下降させる。筒体５３は、リブ５２５が縦溝５３３１から上方に抜けるまで、下降する。そして、リブ５２５が縦溝５３３１から上方に抜けた後、レバー５１を戻す時に、スプリング５４の付勢力によって筒体５３が上方へ戻りながら、リブ５２５が小壁５３３２の高部５３３３に当接して傾斜面５３３４に沿って滑るように移動するので、それに伴って、リブ５２５の移動方向とは反対方向（矢印Ｂ方向）に筒体５３が回転する。筒体５３は保持部３と一体であるので、筒体５３が回転すると保持部３が回転することとなる。移動したリブ５２５は隣りの小壁５３３２に衝突して縦溝５３３１に嵌るので、筒体５３の回転は止まる。縦溝５３３１は円周方向９０度間隔で設けられているので、１回の回転は９０度となる。よって、保持部３は、１回のレバー５１の操作で９０度回転する。
【００５３】
上記構成のハンディモップは、キャンバス２２の平面形状が菱形であるので、図８に示すように、隅部２０１を壁２０２に沿って清掃する場合において、キャンバス２２の菱形の一辺２２ａを隅部２０１に当接させることにより、ハンドル４を壁２０２から遠ざかる方向に位置させることができる。従って、操作が窮屈となるのを防止できる。
【００５４】
また、キャンバス２２の長手方向両側部分が先細りの形状を有しているので、図８に示すように、頂部２２１と壁２０２との間にダスト３０１を溜めることなくダスト３０１を掃き出させることができる。
【００５５】
また、上述したように、保持部３を、ひいてはキャンバス２２を、９０度ずつ回転させることができるので、一辺２２ａに位置するパイル２１がダストを担持して汚れると、キャンバス２２を９０度回転させて、図９に示すように、一辺２２ｂを使用することができる。更に、回転させることにより、一辺２２ｃ，２２ｄも使用できる。従って、汚れていない部分を適宜使用することにより、良好な清掃を行うことができる。しかも、このような使用の切替は、レバー５１の操作だけで行うことができるので、容易である。また、ハンドル４の一端４１に対してキャンバス２２が均等であるので、キャンバス２２を小さなトルクで円滑に回転させることができる。
【００５６】
また、ハンドル４が長手方向に延びている状態（図８の状態）で前後方向（長手方向）に操作すれば、隅部のような狭い領域を容易に清掃でき、ハンドル４が幅方向に延びている状態（図９の状態）で前後方向（幅方向）に操作すれば、広い領域を容易に清掃できる。従って、キャンバス２２を適宜回転させることにより、広狭様々な領域を有する清掃対象物を、効率良く清掃することができる。
【００５７】
また、機構５においては、筒体５２の下部５２１が筒体５３に内嵌しているので、ハンドル４が保持部３に対して捻られたような場合でも、機構５を強度的に保持できる。
【００５８】
また、機構５においては、作動前の状態において、リブ５２５が縦溝５３３１に嵌っていることによって回転が止められているので、回転しない状態が安定して維持されている。従って、ハンドル４の操作に力を入れやすい。
【００５９】
更に、保持部３の両側部分３１，３２の先端３１１，３２１が上向きに反っているので、キャンバス２２の頂部２２１，２２２を上向きにでき、その分だけ、頂部２２１，２２２付近に設けられているパイル２１を外側に向けることができる。従って、キャンバス２２の頂部２２１，２２２が清掃対象物に向いた場合でも、パイル２１が清掃対象物に当たることとなり、頂部２２１，２２２は当たらないので、清掃対象物が傷付くのを防止できる。また、先端３１１，３２１が上向きに反っているので、挿入された保持部３の両側部分３１，３２よりも袋体２２５，２２６が少し大きめであっても、先端３１１，３２１が袋体２２５，２２６の裏面に引っ掛かるようになるため、両側部分３１，３２が袋体２２５，２２６内で自由に動くのを防止でき、従って、ハンドル４の操作とキャンバス２２の動きとの間にずれが生じるのを防止できる。
【００６０】
（別の実施形態）
なお、本発明では、次のような構成を採用してもよい。
（１）図１０に示すように、ハンドル４が、一端４１にて水平軸４２回りに回動自在である。これによれば、払拭部２の長手方向両側部分の一方の部分２Ａが汚れた場合には、ハンドル４を矢印Ｃ方向に回動させて他方の部分２Ｂを使用することができるので、汚れていない部分を適宜使用することにより、良好な清掃を行うことができる。また、キャンバス２２の平面形状が菱形であることによる効果も、実施形態１と同様に、発揮できる。
【００６１】
（２）図１１に示すように、ハンドル４と保持部３とが一体となっている。保持部３は、キャンバス２２表面に形成された袋体２２７に挿入されることによって、キャンバス２２表面に取り付けられるようになっている。袋体２２７は長手方向両側に挿入口２２７１を有しており、保持部３の挿入は両方向から行うことができるようになっている。これによれば、ハンドル４を極めて簡単にキャンバス２２に取り付けることができ、また、図１０の場合と同様の効果を発揮できる。
【００６２】
（３）図１２は払拭部２の長手方向の断面模式図である。図１２に示すように、パイル２１の長さが、キャンバス２２の長手方向の両側端部Ｘ１と長手方向の中央部Ｙ１とで、異なっており、両側端部Ｘ１の方が短い。これによれば、キャンバス２２の辺を擦るように使用した場合に、パイル２１が良好にばらつくこととなり、パイル２１を有効に使うことができる。
【００６３】
（４）図１３は払拭部２の幅方向の断面模式図である。図１３に示すように、パイル２１の長さが、キャンバス２２の外側部Ｘ２と内側部Ｙ２とで異なっており、外側部Ｘ２の方が短い。これによれば、ダストを掃き寄せるように使用した場合に、パイル２１が良好にばらつくこととなり、パイル２１を有効に使うことができる。
【００６４】
（５）パイル２１の太さが、キャンバス２２の長手方向の両側端部Ｘ１（図１２）と長手方向の中央部Ｙ１（図１２）とで、異なっており、両側端部Ｘ１の方が細い。これによれば、隅部を清掃する場合に、パイル２１が隅部に届きやすい。
【００６５】
（６）パイル２１の腰の強さが、キャンバス２２の長手方向の両側端部Ｘ１（図１２）と長手方向の中央部Ｙ１（図１２）とで、異なっており、両側端部Ｘ１の方が強い。これによれば、隅部を清掃する場合に、パイル２１が隅部に届きやすい。
【００６６】
（７）パイル２１を、キャンバス２２の裏面だけでなく表面にも備えている。これによれば、上下に狭い隙間を清掃する場合に、上下両面を一度に清掃できる。
【００６７】
（８）パイルの代わりに、織布又は不織布からなる細い布片を用いる。これによれば、パイルを用いた場合に比して、生産コストを低減できる。
【産業上の利用可能性】
【００６８】
本発明のハンディモップは、特に隅部を清掃するのに有効に使用できるものであるので、産業上の利用価値が大なるものである。
【図面の簡単な説明】
【００６９】
【図１】本発明のハンディモップの平面図である。
【図２】図１のII矢視図である。
【図３】保持部の山折機構を示す部分断面側面図である。
【図４】ハンディモップの回転作動を示す平面模式図である。
【図５】本発明のハンディモップにおける回転連結機構を分解して示す上方斜視図である。
【図６】本発明のハンディモップにおける回転連結機構を分解して示す下方斜視図である。
【図７】回転連結機構を組み立てた後の一部省略斜視図である。
【図８】本発明のハンディモップの使用状態を示す平面模式図である。
【図９】本発明のハンディモップの使用状態の別の場合を示す平面模式図である。
【図１０】別の実施形態のハンディモップの斜視模式図である。
【図１１】更に別の実施形態のハンディモップの平面模式図である。
【図１２】払拭体の別の例を示す断面模式図である。
【図１３】払拭体の更に別の例を示す断面模式図である。
【図１４】従来のハンディモップの使用状態を示す平面模式図である。
【符号の説明】
【００７０】
１  ハンディモップ
２  払拭部
２１  パイル（払拭体）
２２  キャンバス
２２１，２２２，２２３，２２４  頂部
３  保持部
３１，３２  （保持部３の長手方向両側の）部分
３１１，３２１  先端
４  ハンドル
４１  一端
５１  レバー
５２，５３  筒体
【図１】
2005152334.tif 000003
【図２】
2005152334.tif 000004
【図３】
2005152334.tif 000005
【図４】
2005152334.tif 000006
【図５】
2005152334.tif 000007
【図６】
2005152334.tif 000008
【図７】
2005152334.tif 000009
【図８】
2005152334.tif 000010
【図９】
2005152334.tif 000011
【図１０】
2005152334.tif 000012
【図１１】
2005152334.tif 000013
【図１２】
2005152334.tif 000014
【図１３】
2005152334.tif 000015
【図１４】
2005152334.tif 000016